(57)【要約】【課題】ミュート時のショック音を抑制して、ミュート時間を短縮するデジタルアンプを得ること。【解決手段】ミュート開始信号がオフの場合、比較器４２は、ゲイン設定音声信号とピークホールドレジスタ４３に保持されているピーク音声信号とを比較して、大きいほうの音声信号をピークホールドレジスタ４３に出力し、ピークホールドレジスタ４３は、比較器４２から出力された音声信号をピーク音声信号として保持する。ミュート信号がオフになると、減衰値演算部４４は、予め定められているデジタルアンプの最大振幅Ａ０およびデジタルアンプの最大振幅Ａ０をミュートするために必要なミュート時間ｔ０と、ピーク音声信号の振幅Ａ１とに基づいて減衰係数を算出し、乗算器４５は、減衰値演算部４４が算出した減衰係数と出力バッファ４１に保持されているゲイン設定音声信号との乗算を行う。【選択図】      図２
2004343617.tif 000002
【特許請求の範囲】
【請求項１】
ミュート開始信号に基づいて、ゲイン設定された音声信号をミュートするミュート機能を有するデジタルアンプにおいて、
所定の時間分のゲイン設定された音声信号を蓄積する出力バッファと、
前記ミュート開始信号によりミュート機能が有効になるまでのゲイン設定された音声信号の最大値を検出するピーク検出部と、
前記ミュート開始信号によりミュート機能が有効となった場合、予め定められた前記デジタルアンプの最大振幅および該デジタルアンプの最大振幅の音声信号をミュートするために必要なミュート時間と前記ピーク検出部で検出したミュート機能が有効になるまでのゲイン設定された音声信号の最大値の振幅とに基づいて、ミュート時間を調整する減衰係数を算出する減衰値演算部と、
前記減衰値演算部において算出された減衰係数と前記出力バッファに蓄積されているゲイン設定された音声信号との乗算を行う乗算器と、
を備えることを特徴とするデジタルアンプ。
【請求項２】
前記減衰値演算部は、
前記デジタルアンプの最大振幅の音声信号をミュートするために必要なミュート時間を複数有し、ミュート時間選択信号により選択された該デジタルアンプの最大振幅の音声信号をミュートするために必要なミュート時間を用いてミュート時間を調整する減衰係数を算出することを特徴とする請求項１に記載のデジタルアンプ。
【請求項３】
前記出力バッファは、
前記デジタルアンプの最大振幅の音声信号をミュートするために必要なミュート時間の間のゲイン設定された音声信号を蓄積することを特徴とする請求項１または２に記載のデジタルアンプ。
【発明の詳細な説明】
【０００１】
【発明の属する技術分野】
本発明は、オーディオ用デジタルアンプに関するものであり、特に、パルス幅変調（ＰＷＭ：Ｐｕｌｓｅ  Ｗｉｄｔｈ  Ｍｏｄｕｌａｔｉｏｎ）方式のデジタルアンプに関するものである。
【０００２】
【従来の技術】
近年、ノートパソコン、ポータブル型のＣＤ（Ｃｏｍｐａｃｔ  Ｄｉｓｋ）プレイヤーやＤＶＤ（Ｄｉｇｉｔａｌ  Ｖｅｒｓａｔｉｌｅ  Ｄｉｓｃ）プレイヤー、カーオーディオなど、バッテリーで動作し、スピーカを内蔵する機器が普及している。これらの機器は、音質面の品質だけでなく、小型化、低電力化が求められている。このような背景から、デジタルアンプが注目を集めている。その中でも、オーディオ用プリアンプの用途に用いられるＰＷＭ方式のデジタルアンプは、入力から出力までを全てデジタル回路で構成し、音声信号を全てデジタル処理することが可能である。ＰＷＭ方式では、音声信号の電圧振幅をデジタルパルス幅に変換し、直接スピーカを駆動することも可能であり、アナログ処理の必要がない。そのため、低電力で発熱量が少なく、小型のアンプを実現することが可能である。
【０００３】
しかしながら、すべてがデジタル処理のため、出力音声信号が急峻に変化すると、異常音あるいはショック音が発生する。特に、この現象はプラス極性とマイナス極性の２つの出力で負荷を駆動するＢＴＬ（Ｂｒｉｄｇｅ−Ｔｉｅｄ  Ｌｏａｄ）接続では、ＰＷＭ出力回路の出力ゼロから絶対ゼロ出力への変遷時に大きなノイズが生じる。
【０００４】
このような問題を改善するために、従来技術では、出力音声信号のゲイン値を調整する場合に、現在のゲイン値と設定されたゲイン値とのゲイン差を検知し、ゲイン量が所定量より大きい場合、ゲイン量の変化幅を分割し、複数回に分けて、少しずつゲイン量を変化させるようにしている（たとえば、特許文献１参照）。
【０００５】
【特許文献１】
特開平１０−３１３２２４号公報
【０００６】
【発明が解決しようとする課題】
上記従来技術を、外部からミュート開始信号により出力音声信号をミュート、すなわち、出力音声信号の振幅を０にする場合に適用したとする。たとえば、ミュート開始信号がオンになると、設定されたゲイン値を０として現在のゲイン値とのゲイン差を検知し、ゲイン量が所定量より大きい場合、ゲイン量の変化幅を分割し、複数回に分けて、少しずつゲイン量を変化させることでショック音を抑制して出力音声信号をミュートすることができる。
【０００７】
しかしながら、ミュート処理に上記従来技術を適用した場合、ゲイン量の変化幅の分割数によりミュート時間が決定してしまうという問題があった。
【０００８】
この発明は上記に鑑みてなされたもので、ミュート時のショック音を抑制して、ミュート時間を短縮するデジタルアンプを得ることを目的としている。
【０００９】
【課題を解決するための手段】
上記目的を達成するために、この発明にかかるデジタルアンプは、ミュート開始信号に基づいて、ゲイン設定された音声信号をミュートするミュート機能を有するデジタルアンプにおいて、所定の時間分のゲイン設定された音声信号を蓄積する出力バッファと、前記ミュート開始信号によりミュート機能が有効になるまでのゲイン設定された音声信号の最大値を検出するピーク検出部と、前記ミュート開始信号によりミュート機能が有効となった場合、予め定められた前記デジタルアンプの最大振幅および該デジタルアンプの最大振幅の音声信号をミュートするために必要なミュート時間と前記ピーク検出部で検出したミュート機能が有効になるまでのゲイン設定された音声信号の最大値の振幅とに基づいて、ミュート時間を調整する減衰係数を算出する減衰値演算部と、前記減衰値演算部において算出された減衰係数と前記出力バッファに蓄積されているゲイン設定された音声信号との乗算を行う乗算器とを備えることを特徴とする。
【００１０】
この発明によれば、ミュート開始以前のゲイン設定音声信号の最大値であるピーク音声信号を検出しておき、ミュート開始時に、検出したピーク音声信号の振幅がデジタルアンプの最大振幅より小さい場合には、デジタルアンプの最大振幅、デジタルアンプの最大振幅をミュートするために必要なミュート時間およびピーク音声信号の振幅とに基づいて減衰係数を算出して、算出した減衰係数と出力バッファに蓄積されているゲイン設定音声信号とを乗算して出力音声信号をミュートするようにしている。
【００１１】
【発明の実施の形態】
以下に添付図面を参照して、この発明にかかるデジタルアンプの好適な実施の形態を詳細に説明する。
【００１２】
実施の形態１．
図１〜図３を用いて本発明の実施の形態を説明する。図１は、この発明における実施の形態１のデジタルアンプの構成を示すブロック図である。この発明における実施の形態１のデジタルアンプは、シリアル・パラレル変換部１０と、新規ゲイン値レジスタ２０と、ゲイン設定部３０と、ミュート処理部４０と、デルタ・シグマ変換部５０と、ＰＷＭ出力部６０とを備えている。図１に示されたこれらの回路は、単一の半導体チップに集積化されている。
【００１３】
シリアル・パラレル変換部１０は、リニアＰＣＭ（Ｐｕｌｓｅ  Ｃｏｄｅ  Ｍｏｄｕｌａｔｉｏｎ）信号やＤＳＤ（Ｄｉｒｅｃｔ  Ｓｔｒｅａｍ  Ｄｉｇｉｔａｌ）信号などの図１の回路が集積化されたＩＣ（Ｉｎｔｅｇｒａｔｅｄ  Ｃｉｒｃｕｉｔ）が備える単一入力端子にシリアルに入力される入力音声信号をパラレルデータに変換する。たとえば、上述の単一入力端子にシリアルに入力される１６ビットの入力音声信号が１６ビットのパラレルデータに変換される。この一単位としての１６ビットは、ある時刻での音声の振幅を表し、引き続き入力される次の１６ビットの単位は直前に入力された１６ビットの単位が振幅を表す時刻からサンプリングレートで決まる時間後の音声振幅を表す。
【００１４】
新規ゲイン値レジスタ２０は、上述のＩＣが備える新規ゲイン値設定入力用の入力端子から入力された新規ゲイン値設定値を保持する。ゲイン設定部３０は、シリアル・パラレル変換部１０においてパラレルデータに変換された音声信号と新規ゲイン値レジスタ２０に保持されている新規ゲイン値設定値との乗算を行い、音声信号のゲインを調整する。
【００１５】
ミュート処理部４０は、ゲイン設定部３０から順次入力されるゲイン設定された音声信号であるゲイン設定音声信号を所定の時間分蓄積するとともに、ミュート開始信号がオフ（ミュート処理を行わない通常動作）の期間のゲイン設定音声信号の最大値を検出する。そして、ミュート開始信号がオン（ミュート処理を行う）になると、ミュート開始信号がオフの期間に検出したゲイン設定音声信号の最大値の振幅と予め定められたデジタルアンプの最大振幅およびデジタルアンプの最大振幅をミュートするために必要なミュート時間とに基づいて、ショック音が生じない最短の減衰係数を算出して、蓄積したゲイン設定音声信号に対してミュート処理を行う。
【００１６】
図２は、図１に示したミュート処理部４０の構成を示すブロック図である。ミュート処理部４０は、出力バッファ４１と、比較器４２と、ピークホールドレジスタ４３と、減衰値演算部４４と、乗算器４５とを備えている。なお、比較器４２とピークホールドレジスタ４３とで特許請求の範囲でいうところのピーク検出部の機能を実現する。
【００１７】
出力バッファ４１は、ゲイン設定部３０においてゲイン設定された音声信号のビット数分のパラレルデータを各段が保持できるｎ（０＜ｎ，ｎは自然数）段のＦＩＦＯ（Ｆｉｒｓｔ−Ｉｎ，Ｆｉｒｓｔ−Ｏｕｔ）構成のシフトレジスタであり、クロックに同期してゲイン設定音声信号を順次シフトする。シフトレジスタの段数ｎは、デジタルアンプの最大振幅Ａ０の音声信号をミュート（振幅を０にする）する際にショック音を発生させることなくミュートするために必要なミュート時間ｔ０の間、ゲイン設定部３０から入力されるゲイン設定音声信号を蓄積することができるような値とする。具体的には、出力バッファ４１は、クロックに同期して動作するシフトレジスタであるので、クロックの周期をＴとすると、シフトレジスタの段数ｎは、ｎ＞ｔ０／Ｔの関係が成り立つ値となる。なお、図２に示した回路では、最大振幅Ａ０はゲイン設定部３０から出力バッファ４１に入力されるゲイン設定された音声信号の最大規定値として予め定められている。
【００１８】
ミュート開始信号がオフの場合、比較器４２は、ゲイン設定音声信号とピークホールドレジスタ４３に保持されたピーク音声信号とを比較して、大きい方の音声信号をピークホールドレジスタ４３に出力する。ミュート開始信号がオンの場合、比較器４２は、比較動作を行わない。
【００１９】
ピークホールドレジスタ４３は、比較器４２から入力された音声信号を保持する。すなわち、ミュート開始信号がオフの場合、ピークホールドレジスタ４３は、ゲイン設定部３０から順次入力されるゲイン設定音声信号の最大値であるピーク音声信号を保持する。
【００２０】
ミュート開始信号がオンの場合、減衰値演算部４４は、ピーク音声信号と、予め定められたデジタルアンプの最大振幅およびデジタルアンプの最大振幅をミュートするために必要なミュート時間とに基づいて、ショック音が生じない最短の減衰係数を算出する。ミュート開始信号がオフの場合、減衰値演算部４４は、出力バッファ４１内の最終段のシフトレジスタから出力されるゲイン設定音声信号のゲインを変化させないように減衰係数を“１”に固定にする。
【００２１】
乗算器４５は、出力バッファ４１内の最終段のシフトレジスタから出力されるゲイン設定音声信号と減衰値演算部４４で算出した減衰係数とを乗算する。
【００２２】
デルタ・シグマ変換部５０は、ミュート処理部４０から入力された音声信号に対してデルタ・シグマ変調を行い、量子化ノイズを可聴帯域外に移動させる。
【００２３】
ＰＷＭ出力部は、デルタ・シグマ変換部５０において量子化ノイズを可聴帯域外に移動した音声信号に対してＰＷＭ変調を行う。
【００２４】
つぎに、この発明における実施の形態１のデジタルアンプの動作を説明する。最初は、ミュート開始信号はオフに設定されているものとする。シリアル・パラレル変換部１０は、リニアＰＣＭ信号やＤＳＤ信号などの単一の入力端子にシリアルデータとして入力される入力音声信号をパラレルデータに変換して、パラレルデータに変換した音声信号をゲイン設定部３０に出力する。
【００２５】
ゲイン設定部３０は、パラレルデータに変換された音声信号と新規ゲイン値レジスタ２０に保持されている新規ゲイン値設定入力用の入力端子から入力された新規ゲイン値設定値との乗算を行うことで、パラレルデータに変換された音声信号のゲインを設定する。そして、ゲイン設定した音声信号であるゲイン設定音声信号をミュート処理部４０の出力バッファ４１および比較器４２に出力する。
【００２６】
出力バッファ４１は、ゲイン設定音声信号を順次シフトする。ミュート開始信号がオフなので、減衰値演算部４４は、比較器４２とピークホールドレジスタ４３からなるピーク検出部からの出力によらずに減衰係数を“１”固定にして乗算器４５に出力する。乗算器４５は、出力バッファ４１内の最終段のシフトレジスタから出力されるゲイン設定音声信号と減衰係数との乗算を行い、乗算した音声信号をデルタ・シグマ変換部５０に出力する。すなわち、ミュート開始信号がオフの場合、減衰係数が“１”であるので、ミュート処理部４０は、出力バッファ４１の最終段から出力されるゲイン設定音声信号をデルタ・シグマ変換部５０に出力する。
【００２７】
一方、比較器４２は、ゲイン設定部３０から入力されるゲイン設定音声信号とピークホールドレジスタ４３に保持されているピーク音声信号とを比較して、大きい方の音声信号をピークホールドレジスタ４３に出力する。ピークホールドレジスタ４３は、比較器４２から出力された音声信号を保持する。すなわち、比較器４２は、通常動作期間中のゲイン設定音声信号の最大値を検出し、ピークホールドレジスタ４３が、比較器４２が検出したゲイン設定された音声信号の最大値を保持する。
【００２８】
デルタ・シグマ変換部５０は、ミュート処理部４０から入力された音声信号に対してデルタ・シグマ変調を行い、量子化ノイズを可聴帯域外に移動させる。そして、量子化ノイズを可聴帯域外に移動させた音声信号をＰＷＭ出力部６０に出力する。
【００２９】
ＰＷＭ出力部６０は、量子化ノイズを可聴帯域外に移動させた音声信号に対してＰＷＭ変調を行い出力音声信号を出力する。
【００３０】
ここで、出力音声信号をミュートにするためにミュート開始信号がオンに設定されたとする。ミュート開始信号がオンに設定されると、ミュート処理部４０の比較器４２は、ピークホールドレジスタ４３に保持されているピーク音声信号とゲイン設定部３０から入力されるゲイン設定音声信号とを比較する動作を停止する。したがって、ピークホールドレジスタ４３には、ミュート開始信号がオンに設定される前のゲイン設定音声信号の最大値であるピーク音声信号が保持されている。すなわち、出力バッファ４１に蓄積されているｎ個のゲイン設定された音声信号の値はすべて、ピークホールドレジスタ４３に保持されているピーク音声信号以下の値となっている。
【００３１】
減衰値演算部４４は、予め定められているデジタルアンプの最大振幅およびデジタルアンプの最大振幅をミュートするために必要なミュート時間とピークホールドレジスタ４３に保持されているピーク音声信号とに基づいて、ショック音が生じない最短の減衰係数を算出する。
【００３２】
デジタルアンプの最大振幅をＡ０、最大振幅Ａ０をショック音が生じないようにミュートするために必要なミュート時間をｔ０とした場合、最大振幅Ａ０時のミュートカーブは、図３の実線で示すような線形なミュートカーブを有しているとする。ピーク音声信号の振幅をＡ１とすると、ピーク音声信号の振幅Ａ１とデジタルアンプの最大振幅Ａ０は、Ａ１≦Ａ０の関係が成り立つ。
【００３３】
ピーク音声信号の振幅Ａ１とデジタルアンプの最大振幅Ａ０とが等しい場合は、ミュートに必要な最短のミュート時間はｔ０となるので、減衰係数は、実線で示したミュートカーブの減衰係数と等しくなる。したがって、減衰値演算部４４は、実線で示したミュートカーブの減衰係数を乗算器４５に出力する。
【００３４】
ピーク音声信号の振幅Ａ１がデジタルアンプの最大振幅Ａ０より小さい（Ａ１＜Ａ０）の場合、最大振幅Ａ０をミュートするために必要なミュート時間がｔ０であるので、ピーク音声信号の振幅Ａ１をミュートするために必要なミュート時間ｔ１は、
ｔ１＝ｔ０×Ａ１／Ａ０      ・・・（１）
となる。ここで、ミュート開始からの時間をｔとすると、ピーク音声信号の振幅Ａ１をミュート時間ｔ１でミュートするための減衰係数は、
減衰係数＝１−ｔ／ｔ１      ・・・（２）
となる。式（２）のピーク音声信号の振幅Ａ１をミュートするために必要なミュート時間ｔ１に、式（１）を代入して減衰係数を表すと、
減衰係数＝１−ｔ／（ｔ０×Ａ１／Ａ０）      ・・・（３）
となる。ここで、ミュート開始からのクロック数をｘとすると、ミュート開始からの時間ｔは、ミュート開始からのクロック数ｘとクロックの周期Ｔにより、
ｔ＝ｘＴ      ・・・（４）
で表される。式（３）のミュート開始からの時間ｔに、式（４）を代入して減衰係数を表すと、
減衰係数＝１−ｘＴ／（ｔ０×Ａ１／Ａ０）      ・・・（５）
で表される。比較のためにこの減衰係数により最大振幅Ａ０からミュートした場合のミュートカーブは、図３の一点鎖線で示したようになる。すなわち、ピーク音声信号の振幅Ａ１が小さいほど速く減衰係数を０にする。減衰値演算部４４は、ピークホールドレジスタ４３に保持されているピーク音声信号の振幅Ａ１がデジタルアンプの最大振幅Ａ０よりも小さい場合には、ミュート開始からのクロック数をカウントして、式（５）を用いて減衰係数を算出する。そして、算出した減衰係数を乗算器４５に出力する。
【００３５】
乗算器４５は、出力バッファ４１内の最終段のシフトレジスタから入力されるゲイン設定された音声信号と減衰値演算部４４から入力されるゲイン係数との乗算を行い、デルタ・シグマ変換部５０に出力する。
【００３６】
このような動作を、クロックに同期して、ピークホールドレジスタ４３に保持されているピーク音声信号の振幅Ａ１をミュートするために必要なミュート時間ｔ１、すなわち、減衰係数が０になるまで繰り返す。すなわち、クロックに同期して、減衰値演算部４４は、１−Ｔ／（ｔ０×Ａ１／Ａ０），１−２Ｔ／（ｔ０×Ａ１／Ａ０），…，１−ｔ１／（ｔ０×Ａ１／Ａ０）＝０を順次出力する。これにより、出力バッファ４１に蓄積されているゲイン設定された音声信号の振幅が全てピークホールドレジスタ４３に保持されているピーク音声信号の振幅Ａ１であった場合でも、図３の破線で示すように、ショック音を発生させることなくミュートするために必要なミュート時間ｔ１で、音声出力信号の振幅が０となる。すなわち、ミュート時間をｔ０に固定している場合と比較して、ミュート時間をｔ０−ｔ１＝ｔ０×（１−Ａ１／Ａ０）短縮することができる。
【００３７】
以上説明したように、この実施の形態１では、ミュート開始以前のゲイン設定音声信号の最大値を検出しておき、ミュート開始時に、検出した音声信号の最大値がデジタルアンプの最大振幅より小さい場合には、デジタルアンプの最大振幅、デジタルアンプの最大振幅をミュートするために必要なミュート時間および検出したゲイン設定音声信号の最大値の振幅とに基づいて、減衰係数を算出するようにしているため、ショック音を抑制しつつ、予め定められているミュートカーブにしたがってゲイン設定音声信号をミュートするよりも短い時間でミュート処理を行うことができる。
【００３８】
また、データとしてデジタルアンプの最大振幅Ａ０およびデジタルアンプの最大振幅Ａ０をミュートするために必要なミュート時間ｔ０とを記憶しておくだけで、ミュートに必要な時間を短縮することができるため、これらの２つのデータを変更するだけで、様々な機器に対応することができる。
【００３９】
さらに、出力バッファ４１がミュート開始信号によりミュート機能が有効とされてから最大振幅Ａ０をミュートするための時間ｔ０までのゲイン設定音声信号を蓄積しているため、ミュート動作を開始してからミュートが完了するまでの間に出力バッファ４１に蓄積された信号が乗算器４５に入力されることで、ピーク音声信号よりも大きな振幅の信号が乗算器４５に入力されることがない。したがって、大きな振幅の信号に小さな振幅に最適な速く０になる減衰係数を乗算してしまいショック音を発生させるという事態を防止することができる。
【００４０】
実施の形態２．
実施の形態１では、線形のミュートカーブを用いたが、線形のミュートカーブの場合、ミュート時間によっては、ミュート開始時およびミュート終了時にショック音が生じる場合がある。このような問題を改善するために、この実施の形態２では、図４の実線で示したように、ミュート開始時およびミュート終了時には緩やかに変化させたコサインカーブによるミュートカーブを用いるようにしている。この場合も、ピークホールドレジスタ４３に保持されているピーク音声信号の振幅Ａ１がデジタルアンプの最大振幅Ａ０よりも小さい場合には、減衰係数＝（１＋ｃｏｓ（ｘＴ×π／（ｔ０×Ａ１／Ａ０））／２を算出して出力バッファ４１内の最終段のシフトレジスタから順次出力されるゲイン設定音声信号に掛け合わせることで、図４の実線で示したミュートカーブの減衰係数を用いた場合と比較して、ショック音を抑制しつつ、ｔ０−ｔ１＝ｔ０×（１−Ａ１／Ａ０）だけミュート時間を短縮することができる。
【００４１】
なお、実施の形態１および実施の形態２では、デジタルアンプの最大振幅Ａ０をミュートするために必要なミュート時間ｔ０を１つとして説明したが、減衰値演算部４４内に、たとえば、図３に示した線形のミュートカーブによるミュート時間ｔ０と、図４に示したミュート開始時およびミュート終了時には緩やかに変化させたコサインカーブによるミュートカーブのミュート時間ｔ０というように、複数のミュート時間ｔ０を記憶しておき、図５に示すように、図２のミュート処理部４０にミュート時間選択信号を追加して、所望のミュート時間を選択するようにしてもよい。これにより、ゲイン値変化の影響が出やすい大音量（最大振幅が大きい）の入力音声信号が入力された場合には、ミュート時のゲイン値の傾きを緩やかにするようなミュート時間を選択し、ゲイン値変化の影響が少ない小音量（最大振幅が小さい）の入力音声信号が入力された場合には、ミュート時のゲイン値の傾きを急峻にするようなミュート時間を選択するなど、この発明におけるデジタルアンプに入力される音源に適したミュート時間を設定することができる。
【００４２】
【発明の効果】
以上説明したように、この発明にかかるデジタルアンプによれば、ミュート開始以前のゲイン設定音声信号の最大値であるピーク音声信号を検出しておき、ミュート開始時に、検出したピーク音声信号の振幅がデジタルアンプの最大振幅より小さい場合には、デジタルアンプの最大振幅、デジタルアンプの最大振幅をミュートするために必要なミュート時間およびピーク音声信号の振幅とに基づいて減衰係数を算出して、算出した減衰係数と出力バッファに蓄積されているゲイン設定音声信号とを乗算してゲイン設定音声信号をミュートするようにしている。これにより、ショック音を抑制しつつ、予め定められているミュートカーブにしたがってゲイン設定音声信号をミュートするよりも短い時間でミュート処理を行うことができる。
【図面の簡単な説明】
【図１】この発明における実施の形態１のデジタルアンプの構成を示すブロック図である。
【図２】図１に示したミュート処理部の構成を示すブロック図である。
【図３】この発明における実施の形態１のミュートカーブを示す図である。
【図４】この発明における実施の形態２のミュートカーブを示す図である。
【図５】図１に示したミュート処理部の構成を示すブロック図である。
【符号の説明】
１０  シリアル・パラレル変換部、２０  新規ゲイン値レジスタ、３０  ゲイン設定部、４０  ミュート処理部、４１  出力バッファ、４２  比較器、４３  ピークホールドレジスタ、４４  減衰値演算部、４５  乗算器、５０  デルタ・シグマ変換部、６０  ＰＷＭ出力部。
【図１】
2004343617.tif 000003
【図２】
2004343617.tif 000004
【図３】
2004343617.tif 000005
【図４】
2004343617.tif 000006
【図５】
2004343617.tif 000007